(57)【特許請求の範囲】
【請求項１】
複数のリング状ガイド部材が設けられた釣竿の基側に取付けて、仕掛け投入時の釣糸の振動を抑えるのに使用する釣糸補助ガイド装置であって、
距離を有して基側から順次対向配置された第１、第２のガイドリングと、
前記第１、第２のガイドリングの中間位置に設けられて、前記第１、第２のガイドリングを挿通する前記釣糸を、前記第１、第２のガイドリングのそれぞれの一内周面側に偏心挿通させる中間ガイドと、
前記第１、第２のガイドリング及び前記中間ガイドを所定位置に固定する支持部材とを有し、
前記中間ガイドは環状の第３のガイドリングからなっており、
前記支持部材の長手方向両側には、釣竿固定部がそれぞれ設けられ、
前記支持部材は板材からなって、前記第１、第２のガイドリングは、前記支持部材に形成された第１、第２の貫通孔にそれぞれ取付けて固定され、
しかも、前記支持部材の中間部には、該支持部材に基端を一体的に取付けて屈曲する補助支持板部が形成され、前記第３のガイドリングは、前記補助支持板部に形成された第３の貫通孔に取付けて固定されていることを特徴とする釣糸補助ガイド装置。
【請求項２】
複数のリング状ガイド部材が設けられた釣竿の基側に取付けて、仕掛け投入時の釣糸の振動を抑えるのに使用する釣糸補助ガイド装置であって、
距離を有して基側から順次対向配置された第１、第２のガイドリングと、
前記第１、第２のガイドリングの中間位置に設けられて、前記第１、第２のガイドリングを挿通する前記釣糸を、前記第１、第２のガイドリングのそれぞれの一内周面側に偏心挿通させる中間ガイドと、
前記第１、第２のガイドリング及び前記中間ガイドを所定位置に固定する支持部材とを有し、
しかも、前記中間ガイドは、中間位置にＵ字溝を有する固定ガイドからなることを特徴とする釣糸補助ガイド装置。
【請求項３】
複数のリング状ガイド部材が設けられた釣竿の基側に取付けて、仕掛け投入時の釣糸の振動を抑えるのに使用する釣糸補助ガイド装置であって、
距離を有して基側から順次対向配置された第１、第２のガイドリングと、
前記第１、第２のガイドリングの中間位置に設けられて、前記第１、第２のガイドリングを挿通する前記釣糸を、前記第１、第２のガイドリングのそれぞれの一内周面側に偏心挿通させる中間ガイドと、
前記第１、第２のガイドリング及び前記中間ガイドを所定位置に固定する支持部材とを有し、
前記中間ガイドは環状の第３のガイドリングからなっており、
前記支持部材の長手方向の一側には、前記釣竿の最基側のリング状ガイド部材に取付けられる固定手段が設けられていることを特徴とする釣糸補助ガイド装置。
【請求項４】
請求項３記載の釣糸補助ガイド装置において、前記支持部材は、３以上の支持棒からなることを特徴とする釣糸補助ガイド装置。
【請求項５】
請求項４記載の釣糸補助ガイド装置において、それぞれの前記固定手段は、最基側の前記リング状ガイド部材の周方向に所定間隔を有して外側から被さる掛止爪を有することを特徴とする釣糸補助ガイド装置。
【請求項６】
請求項５記載の釣糸補助ガイド装置において、前記固定手段は、前記掛止爪の一側、又は他側に形成され半径方向内側に窪んだ掛止溝をそれぞれ備え、それぞれの前記掛止溝には、固着リングが外嵌することを特徴とする釣糸補助ガイド装置。
【請求項７】
請求項３記載の釣糸補助ガイド装置において、前記支持部材は、他方側が拡径した筒体であることを特徴とする釣糸補助ガイド装置。
【請求項８】
請求項７記載の釣糸補助ガイド装置において、前記固定手段は、最基側の前記リング状ガイド部材の内側を挿通可能な雄ねじ部と、該雄ねじ部に螺合するナットによって構成されることを特徴とする釣糸補助ガイド装置。
【請求項９】
請求項３記載の釣糸補助ガイド装置において、前記支持部材の長手方向の他側には、前記第１、第２のガイドリングより大径の大径ガイドリングが設けられていることを特徴とする釣糸補助ガイド装置。
【発明の詳細な説明】
「技術分野」
本発明は、釣竿に設ける釣糸補助ガイド装置に関する。
「背景技術」
従来より、サーフ又はルアー釣りに使用される釣竿では、先側に向かってだんだん内径が小さくなるリング状ガイド部材が複数設けられている。そして、釣竿の基側には、釣竿の長手方向を軸として回転するドラム上のスプールを備え、該スプールに釣糸を巻き付けるスピニングリール（以下、巻取りリールという）が取り外し可能に設けられている。さらに、近年では、スピニングリールから出た釣糸が釣竿の内部を挿通する中通し竿も用いられている。
巻取りリールのスプールの螺旋状に解かれた釣糸の進行方向は、スプールの軸心の向きと同じなので、仕掛けの投入時には、釣糸に捻れが生じる。スプールから解かれて捻れが生じた釣糸は、旋回し、波打ち又は振動しながら各リング状ガイド部材内を通過する。このとき、釣糸の波打ちによって釣糸とリング状ガイド部材との摺動抵抗が大きくなり、釣糸の先部に設けられた仕掛けの投擲距離が制約されていた。
本発明はかかる事情に鑑みてなされたもので、簡単な構造で釣糸の波打ちを抑え、投擲距離を伸ばすことができる釣糸補助ガイド装置を提供することを目的とする。
「発明の開示」
前記目的に沿う第１の発明に係る釣糸補助ガイド装置は、釣糸を案内する複数のリング状ガイド部材が設けられた釣竿の基側に取付けて、仕掛け投入時の前記釣糸の振動を抑えるのに使用する釣糸補助ガイド装置であって、距離を有して基側から順次対向配置された第１、第２のガイドリングと、前記第１、第２のガイドリングの中間位置に設けられて、前記第１、第２のガイドリングを挿通する前記釣糸を、前記第１、第２のガイドリングのそれぞれの一内周面側に偏心挿通させる中間ガイドと、前記第１、第２のガイドリング及び前記中間ガイドを所定位置に固定する支持部材とを有する。
本発明において、釣糸を第１、第２のガイドリングのそれぞれの一内周面側に偏心挿通させるとは、並んで配置された第１、第２のガイドリングを挿通する釣糸を、前記中間ガイドによって第１、第２のガイドリングの一方側に実質的に当接又は近接させて挿通させることをいう。
なお、本発明に係る釣糸補助ガイド装置の釣竿への取付け位置は、釣竿の巻取りリールの取付け位置と、最基側のリング状ガイド部材との中間位置であるのが好ましい。
釣糸は巻取りリールから第１、第２のガイドリングを挿通して釣竿に予め設けられた複数のリング状ガイドを挿通し、また、釣糸の先端部には、錘や仕掛けが取付けられる。
第１、第２のガイドリングは、必ずしも円形リングである必要はなく、その材質としては、例えば、ステンレス、チタン等の耐食性及び耐摩耗性のある金属、耐摩耗性セラミックス（ＳｉＣ、Ａｌ2Ｏ3、ＴｉＢ2、ＷＣ、Ｓｉ3Ｎ4、ｃ−ＢＮ等）のセラミックス材料等を使用することができる。
支持部材は、例えば、ステンレス、チタン、チタン合金、耐食性を有するアルミニウム合金やマグネシウム合金等の金属や硬質プラスチックからなる板状や棒状の部材を用いることができる。
本発明の釣糸補助ガイド装置においては、仕掛けや錘の投入時に、巻取りリールから解けた釣糸は、第１のガイドリングによって、旋回を抑えられ、さらに第２のガイドリング内を通過する。このとき、釣糸は、中間ガイドによって第１、第２のガイドリングの一内周面側に偏心挿通されるので、第１、第２のガイドリング及び中間ガイドの少なくとも１つに接触し、釣糸に僅少の摩擦力が加わる。釣糸は仕掛けや錘によって釣竿の先側に引っ張られるが、釣糸補助ガイド装置によって釣糸に小さいな引っ張り力が働くので、釣糸は、釣竿の中間部から先部に設けられているリング状ガイド部材内を接触を少なくした状態で直線的に移動する。また、巻取りリールから解けた釣糸に発生する捻れは、本発明の釣糸補助ガイド装置を使用しない場合には、釣糸の波打ちや振動となって表れ、波打った釣糸が釣竿の中間部及び先部に設けられたリング状ガイド部材に引っ掛かって仕掛け投擲時の大きな抵抗となるが、本発明の釣糸補助ガイド装置を使用すると、巻取りリールからでる釣糸が直線状に矯正されるので、釣竿の中間部及び先部に設けられたリング状ガイド部材に釣糸が引っ掛かるのが防止され、釣糸補助ガイド装置の抵抗に打ち勝って更に投擲距離の増大が図れると考えられる。
また、先部に仕掛けが設けられた釣糸が、第１、第２のガイドリング及び中間ガイドの少なくとも１つに常時接触しているので、釣糸を伝わる魚信が本発明の釣糸補助ガイド装置を介して釣竿に伝わり、手元に伝達することができる。また、魚信以外の海中の状態によって釣糸に発生する張力変化も、釣糸補助ガイド装置を介して釣竿の基側部分に伝達することができるので、仕掛け投入直後の海中の様子を手元が感じることができる。
また、第２の発明に係る釣糸補助ガイド装置は、前記第１の発明に係る釣糸補助ガイド装置において、前記中間ガイドを、環状の第３のガイドリングにしている。かかる構成によって、釣糸を第３のガイドリング内に挿通して用いることができるので、使用中に外れることがなく、安定して使用することができる。
第３の発明に係る釣糸補助ガイド装置は、前記第１の発明に係る釣糸補助ガイド装置において、前記中間ガイドに、中間部分が小径となった溝付きローラを使用している。溝付きローラは、例えば、硬質プラスチックの他、ステンレス、チタン、チタン合金、マグネシウム合金等の耐食性のある金属や前述した耐摩耗性セラミックス等の摺動性のよいセラミックス材料等を用いることができる。溝付きローラの溝の断面形状は、例えば、円弧状、Ｕ字状、Ｖ字状に形成することができる。投擲時の釣糸は、ローラの最小径の部分に嵌入して第１、第２のガイドリングの一方側にガイドされるので、前記第３のガイドリングと同様、釣糸の振動及び波打ちを抑えることができ、結果として仕掛けや錘の投擲距離を伸ばすことができる。
そして、第４の発明に係る釣糸補助ガイド装置は、前記第１の発明に係る釣糸補助ガイド装置において、前記中間ガイドに、中間位置にＵ字溝を有する固定ガイドを使用している。これによって、中間ガイドの形状を簡単にして軽量化を図ることができる。
更に、第５の発明に係る釣糸補助ガイド装置は、前記第１〜第４の発明に係る釣糸補助ガイド装置において、前記第１、第２のガイドリング及び前記中間ガイドを所定位置に固定する前記支持部材の長手方向両側（釣糸挿通方向に実質的に一致する）に、釣竿固定部をそれぞれ設けている。このように、釣竿固定部を２カ所に設けるので、支持部材を確実に固定して釣糸補助ガイド装置の変形や破損を防止することができる。
また、前記支持部材は板材を曲げて形成され、前記釣竿の基側に設けられた第１のガイドリングは、前記支持部材に形成された第１の貫通孔に取付けて固定するのが好ましい。前記第２のガイドリングは、前記支持部材に形成された第２の貫通孔に固定される場合（好ましくは、釣糸が釣竿の外側を通る外通し竿において適用）と、前記支持部材に一端が固定された連結部材に固定されている場合（好ましくは、釣糸が釣竿の内側を通る中通し竿に適用）がある。なお、第１、第２のガイドリングをそれぞれ第１、第２の貫通孔を介して前記支持部材に直接取付けた場合には、装置の構成が簡単となり、釣糸が釣糸補助ガイド装置に絡みにくくなり、操作性をよくすることができる。
前記支持部材の主断面は、フラットアーチ状、山形、三角状、円弧状、楕円弧状に形成することができ、更に２以上の突出部分を有する波形に形成するのが好ましく、これによって、曲げ、強度を向上させることができる。
また、前記支持部材に取付けた第１、第２のガイドリングは軸心を合わせて平行に配置するのが好ましいが、支持部材の形状に応じて向かい合わせて傾斜配置してもよい。
また、前記支持部材の中間部に、プレス加工によって、補助支持板部材を支持部材の一部を前記第１、第２のガイドリング側に折り曲げ形成し、この補助支持板部に形成された第３の貫通孔に前記第３のガイドリングを固定することも可能である。これによって、一枚の板材からプレス加工して、第１〜第３のガイドリングを除く釣糸補助ガイド装置の本体を製造できる。
更に、第６の発明に係る釣糸補助ガイド装置は、前記第１〜第４の発明に係る釣糸補助ガイド装置において、前記支持部材の長手方向の一側のみに固定手段を設け、前記釣竿に予め取付けられている最基側のリング状ガイド部材に固定している。この支持部材は、前記したリング状ガイド部材に分離不可能に固着することができ、また、着脱可能に固定することも可能である。かかる構成によって、釣竿とは別体として販売された釣糸補助ガイド装置を釣竿へ固定することが容易となる。
ここで、第７の発明に係る釣糸補助ガイド装置は、前記第６の発明に係る釣糸補助ガイド装置において、前記支持部材を、３以上の支持棒で構成する。このように構成することによって、釣糸補助ガイド装置の重量を小さくして、釣竿に取付けて使用するときの操作性を良くすることができ、また、支持部材の内部の調整や洗浄を容易に行うことができる。
また、それぞれの前記固定手段に、最基側の前記リング状ガイド部材の周方向に所定間隔を有して外部から被さる掛止爪を設けることも可能である。かかる構成によって、リング状ガイド部材の着脱を容易に行うことができる。
また、前記固定手段に、前記掛止爪の一側、又は他側に形成され半径方向内側に窪んだ掛止溝をそれぞれ設け、それぞれの前記掛止溝に、固着リングを外嵌させることも可能である。
固着リングは、例えば、金属製、布製、可撓性のプラスチック材料からなり、環状に形成される他、多角形状に形成することもできる。また、紐状の部材を掛止爪に巻き付けたものも固着リングに含まれる。
このように構成することによって、釣糸補助ガイド装置の着脱を簡単に行い、且つ確実に固定することができる。
また、第８の発明に係る釣糸補助ガイド装置は、前記第６の発明に係る釣糸補助ガイド装置において、前記支持部材を、他方側が拡径した筒体にする。
かかる構成によって、装置の強度を増して、使用時の破損を防止することができる。
また、前記固定手段を、最基側の前記リング状ガイド部材の内側を挿通可能な雄ねじ部と、該雄ねじ部に螺合するナットによって構成することも可能である。雄ねじ部をリング状ガイド部材に挿通させた後、ナットを螺合させ、締結することによって、装置を着脱可能に取付けることができる。かかる構成によって、釣竿への装置の着脱を簡単且つ確実に行うことができる。
また、第９の発明に係る釣糸補助ガイド装置は、前記第６〜第８の発明に係る釣糸補助ガイド装置において、前記支持部材の長手方向の他側に、前記第１、第２のガイドリングより大径の大径ガイドリングを設ける。かかる構成によって、リールから螺旋状に旋回しながら引き出される釣糸が必要以上に波打つことを防止して、釣糸を絡みにくくすることができる。
また、第１０の発明に係る釣糸補助ガイド装置は、前記第１〜第３の発明に係る釣糸補助ガイド装置において、中間ガイドに溝付きローラを設け、前記支持部材を板材で構成し、前記支持部材の長手方向両側に、釣竿固定部をそれぞれ設け、前記第１、第２のガイドリングを、前記支持部材に形成された第１、第２の貫通孔に取付けて固定し、前記支持部材に、該支持部材の中間部の両側にそれぞれの基端を一体的に取付けて屈曲するローラ支持部を形成し、前記中間ガイドの溝付きローラを、前記ローラ支持部に回転自在に取付ける。かかる構成によって、支持部材を簡単に製造し、装置を軽量化することができる。
【図面の簡単な説明】
第１図は、本発明の第１の実施例に係る釣糸補助ガイド装置の側断面図である。
第２図は、同釣糸補助ガイド装置の平断面図である。
第３図は、同釣糸補助ガイド装置の正面図である。
第４図は、本発明の第２の実施例に係る釣糸補助ガイド装置の側断面図である。
第５図は、同釣糸補助ガイド装置の正面図である。
第６図は、本発明の第３の実施例に係る釣糸補助ガイド装置の正面図である。
第７図は、本発明の第４の実施例に係る釣糸補助ガイド装置の取付け状態を示す斜視図である。
第８図は、同釣糸補助ガイド装置の正面図である。
第９図は、同側断面図である。
第１０図の（Ａ）、（Ｂ）は、本発明の第４の実施例に係る釣糸補助ガイド装置の固定手段の変形例を示す側断面図である。
第１１図は、本発明の第５の実施例に係る釣糸補助ガイド装置の側断面図である。
第１２図は、本発明の第６の実施例に係る釣糸補助ガイド装置の側断面図である。
第１３図は、本発明の第７の実施例に係る釣糸補助ガイド装置の側断面図である。
「発明を実施するための最良の形態」
続いて、添付した図面を参照しつつ、本発明を具体化した実施例について説明し、本発明の理解に供する。
図１〜図３に示すように、本発明の第１の実施例に係る釣糸補助ガイド装置１０は、複数のリング状ガイド部材１１（図７参照）が設けられた釣竿１２の基側に取付けて、仕掛け投入時の釣糸１３の振動を抑えるのに使用する装置である。以下、詳しく説明する。
釣糸補助ガイド装置１０は、距離を有して対向配置された第１、第２のガイドリング１４、１５と、第１、第２のガイドリング１４、１５の中間位置に設けられて、第１、第２のガイドリング１４、１５を挿通する釣糸１３を、第１、第２のガイドリング１４、１５のそれぞれの取付けられる釣竿１２側、即ち一内周面側に偏心挿通させる中間ガイドの一例である第３のガイドリング１６と、第１、第２のガイドリング１４、１５及び第３のガイドリング１６を所定位置に固定する支持部材１７とを有している。ここでは、第１のガイドリング１４が釣竿１２の基側に配置されている場合について説明する。
まず、支持部材１７について説明する。
支持部材１７は板材からなって、支持部材１７の長手方向の基側及び先側には、釣竿１２の長手方向にそれぞれ配置される釣竿固定部１８、１９がそれぞれ設けられている。
釣竿固定部１８、１９は、支持部材１７の本体部より少し細く形成され、また、釣竿１２の外周に合わせた曲面が形成されている。釣竿固定部１８、１９を少し細く形成することによって、曲面形状を釣竿１２に合わせやすくなり、釣竿固定部１８、１９を釣竿１２に確実に当接させ、強固に固定することができる。
釣竿固定部１８、１９は、釣竿１２の外周に図示しない固定用糸で巻着、固定され、固定用糸は、樹脂によって環状にコーティングされて固着部２２をそれぞれ形成している。
支持部材１７の本体部は、釣竿１２側に開口する溝形状に屈曲して基側から順に基側壁２３、中間部２０、先側壁２４を形成している。基側壁２３は、先側壁２４より少し長く形成されている。また、基側壁２３及び先側壁２４には、第１、第２のガイドリング１４、１５が取付けられて固定される第１、第２の貫通孔２５、２６がそれぞれ形成されている。
中間部２０には、両端を先側に向けたＵ字状の切れ目が形成され、切れ目の内側部分は、支持部材１７の中間部２０に基端を一体的に取付けて釣竿１２側に屈曲する補助支持板部２９を形成している。補助支持板部２９には、第３のガイドリング１６が取付けられて固定される第３の貫通孔２７が形成されている。
また、中間部２０の幅方向両側には、釣竿１２側に向かって屈曲する折り曲げ補強部２８がそれぞれ形成されている。中間部２０には補助支持板部２９を切り欠いて形成しているが、折り曲げ補強部２８を設けることによって、中間部２０の屈曲及び破損を防止し、第３のガイドリング１６を確実に保持することができる。
かかる構成によって、支持部材１７は、例えば、プレス加工によって簡単に製造することができる。
第１〜第３のガイドリング１４〜１６は、第１〜第３の貫通孔２５〜２７にそれぞれ取付けて固定される。第１〜第３のガイドリング１４〜１６は、例えば、圧入や装着によって固定することができ、また、外周を囲む図示しない第１〜第３の取付け用リングを介して固定することも可能である。
図３に示すように、釣糸補助ガイド装置１０を、第１、第２のガイドリング１４、１５の中心を結ぶ直線に沿って基側から見たとき第１のガイドリング１４の孔の上端と第３のガイドリング１６の孔の下端との間の距離Ｌ１は、例えば、０．５ｍｍ〜３ｍｍにしている。
また、第１〜第３のガイドリング１４〜１６の内径は、例えば、１〜４ｍｍにしている。
また、第１、第３のガイドリング１４、１６間の距離は、例えば、１０〜３０ｍｍにして、第２、第３のガイドリング１５、１６間の距離は、例えば、１０〜２０ｍｍにしている。
第１〜第３のガイドリング１４〜１６の内径は、挿通される釣糸１３の外径より十分に大きいが、第３のガイドリング１６によって釣糸１３は釣竿１２側に偏心挿通されるので、釣糸１３は、第１〜第３のガイドリング１４〜１６のうち少なくとも１カ所に接触する。
次に、釣糸補助ガイド装置１０の使用手順について説明する。
まず、巻取りリールから引き出した釣糸１３を、第１、第３、第２のガイドリング１４、１６、１５の順に挿通し、さらに釣竿１２の複数のリング状ガイド部材１１に基側から順に挿通する。
次いで、釣糸１３の先端部に仕掛け及び錘を取付けて投擲を行う。
仕掛け及び錘を投入すると、巻取りリールから螺旋状に旋回しながら引き出される釣糸１３は、第１のガイドリング１４によって、旋回及び波打ちを規制されると共に、第１〜第３のガイドリング１４〜１６の内周面に当接して、一定の摩擦力を受けながら釣竿１２の先側に移動する。
釣糸１３は、錘による先側への引張力と、釣糸補助ガイド装置１０による基側への摩擦力が働くので、釣竿１２に複数設けられたリング状ガイド部材１１内を通過するときには、直線状に移動する。
また、釣糸補助ガイド装置１０の摩擦力は、第１〜第３のガイドリング１４〜１６の周方向へも働くため、巻取りリールから引き出された釣糸１３に生じる捻れは、釣糸補助ガイド装置１０の基側で大きくなる。
しかし、釣糸補助ガイド装置１０の先側の釣糸１３は、直線状に移動しており、周方向への回動抵抗が少なくなっているので、釣糸補助ガイド装置１０の先側に送り出された釣糸１３は、大きな捻れを迅速に矯正しながら先側へ移動することができる。
このように、釣糸１３は、リング状ガイド部材１１や釣竿１２の外周に接触することが少なくなるので、仕掛け投入時の全体的な摺動抵抗を小さくして投擲距離を伸ばすことができる。また、釣糸１３の捻れを迅速に矯正できるので、リング状ガイド部材１１に絡みついて釣糸１３が切断されることも少なくなる。
また、板材からなる支持部材１７を溝形状に屈曲させて使用しているので、第１のガイドリング１４の外周部全体を板状の基側壁２３で支持することができ、釣糸１３が基側壁２３に絡みつくのを防止することができる。
次に、図４、図５を参照して、本発明の第２の実施例に係る釣糸補助ガイド装置３０について説明する。
釣糸補助ガイド装置３０は、第１の実施例に係る釣糸補助ガイド装置１０の折り曲げ補強部２８を省略し、第３のガイドリング１６と補助支持板部２９の代わりに、中間ガイドの一例であり中間部分が小径となった溝付きローラ３１及びこれを支持するローラ支持部３２を用いたものであり、他の部分及び部材は釣糸補助ガイド装置１０と同じなので、同一部材には同一番号を付して説明は省略する。
ローラ支持部３２は、支持部材３４の中間部３５の幅方向両側にそれぞれの基端を一体的に取付けて釣竿１２側に屈曲して形成されている。両側のローラ支持部３２は、実質的に平行に配置され、また、溝付きローラ３１を軸方向両側から支持する回転保持用孔３３がそれぞれ形成されている。溝付きローラ３１は、軸方向断面が円弧状に形成された外周面を有し、固定軸３５ａを介してローラ支持部３２に回転自在に取付けられている。さらに、ローラ支持部３２の先部には、溝付きローラ３１の軸方向の両端部の外周に被さる脱輪防止部３２ａが形成され、溝付きローラ３１に当接する釣糸１３が、溝付きローラ３１の片側面とローラ支持部３２との間に嵌入してしまうことを防止している。
図５に示すように、釣糸補助ガイド装置３０を、第１、第２のガイドリング１４、１５の中心を結ぶ直線に沿って基側から見たとき第１のガイドリング１４の孔の下端と溝付きローラ３１の最小径部の下端との間の距離Ｌ２は、例えば、０．５ｍｍ〜３ｍｍにしている。
かかる構成によって、支持部材３４の製造を、例えばプレス加工によって簡単に製造することができる。
使用時には、第１、第２のガイドリング１４、１５に釣糸１３を挿通するが、このとき、釣糸１３は溝付きローラ３１の外周の釣竿１２側とは逆側を通過させる。
仕掛け及び錘の投擲によって釣糸１３が引き出されるときには、釣糸１３は溝付きローラ３１の外周面に当接し、溝付きローラ３１を回転させながら移動する。また、錘の重量により釣糸１３に引張力が加わると、釣糸１３は、直線状に伸びようとし、溝付きローラ３１の外周上を最小径部に向かって、すなわち中央側に移動するので、釣糸１３の移動時の軌道を安定させることができる。
また、溝付きローラ３１が、釣糸１３の移動に合わせて回転し、釣糸１３との間に摺動抵抗が発生しないので、釣糸補助ガイド装置３０が釣糸１３に与える摩擦力を小さくすることができる。
次に、図６を参照して、本発明の第３の実施例に係る釣糸補助ガイド装置３６について説明する。
釣糸補助ガイド装置３６は、第１の実施例に係る釣糸補助ガイド装置１０の折り曲げ補強部２８を省略し、第３のガイドリング１６と補助支持板部２９の代わりに、中間ガイドの一例であり中間部分にＵ字溝を有する固定ガイド３７を用いたものであり、他の部分及び部材は釣糸補助ガイド装置１０と同じなので、同一部材には同一番号を付して説明は省略する。
固定ガイド３７は、支持部材３８の中間部３９の釣竿１２側にその基部を固定した中間支持部材４０と、中間支持部材４０の先部に固定され、釣竿１２側に開口したＵ字ガイド部４１とを有している。Ｕ字ガイド部４１は、断面円形で例えば、表面を平滑に仕上げた金属の丸棒からなっている。
Ｕ字ガイド部４１の両端部は、釣竿１２側に長く突出させることが好ましく、かかる構成によって、釣糸１３がＵ字ガイド部４１から外れることを防止できる。
固定ガイド３７を用いることによって、釣糸１３を第１、第２のガイドリング１４、１５に挿通させた後に、Ｕ字ガイド部４１に掛止して使用できるので、釣糸補助ガイド装置３６の操作を簡単に行うことができる。
次に、本発明の第４の実施例に係る釣糸補助ガイド装置４２について説明する。
図７〜図９に示すように、釣糸補助ガイド装置４２は、釣竿１２に支持脚によって固着された最基側のリング状ガイド部材１１の周方向に所定間隔を有して外側から被さる３つの掛止爪４３を備えた固定手段４３ａを介してリング状ガイド部材１１の基側から着脱可能に設けられている。以下、詳しく説明する。
各掛止爪４３は、リング状ガイド部材１１の厚みに合わせたＵ字状の溝をそれぞれ有し、リング状ガイド部材１１の周方向に１２０度おきに、外側から被さって掛止され、各掛止爪４３はリング状ガイド部材１１の軸心に平行に設けられた支持部材の一例である３本の支持棒４４にそれぞれ連結されている。即ち、掛止爪４３は、支持棒４４の長手方向の一側に設けられている。
それぞれの支持棒４４の他側（釣竿１２の基側）はリング状ガイド部１１の軸心から離反する方向に斜めに屈曲し、その端部には、リング状ガイド部材１１より内径が大きく形成され、リング状ガイド部材１１に軸心を実質的に一致させて配置された大径ガイドリング４５が各支持棒４４の端部を連結するようにして設けられている。また、支持棒４４の他側にある大径ガイドリング４５と支持棒４４の一側にある掛止爪４３との間には、距離を有して対向配置された第１、第２のガイドリング４６、４７と、第１、第２のガイドリング４６、４７の中間位置に設けられて、第１、第２のガイドリング４６、４７を挿通する釣糸１３を、第１、第２のガイドリング４６、４７のそれぞれの釣竿１２側、即ち一内周面側に偏心挿通させる中間ガイドの一例である第３のガイドリング４８とを有している。
釣竿１２の基側から順に配置された第１、第３、第２のガイドリング４６、４８、４７は、それぞれ３ｍｍ〜１０ｍｍの間隔を有して配置され、各第１〜第３のガイドリング４６〜４８は、図示しない取付け用リングの内側にそれぞれ嵌入し、各取付け用リングの外周の３箇所に設けられた連結部材６０〜６３によって、支持棒４４に固着されている。
大径ガイドリング４５の材質は、第１〜第３のガイドリング４６〜４８と同じ材質にすることができる。
また、大径ガイドリング４５の内径は、リング状ガイド部材１１の内径の１１０％〜３００％の大きさで、第１〜第３のガイドリング４６〜４８の内径は、５〜１５ｍｍに設定している。
両側に配置された第１、第２のガイドリング４６、４７は、内側を挿通する大径ガイドリング４５の軸心より釣竿１２の半径方向外側に偏心して配置されている。また、第３のガイドリング４８は、大径ガイドリング４５の軸心を中心にして、第１、第２のガイドリング４６、４７とは反対方向に偏心して配置されている。このとき、大径ガイドリング４５の軸心から第１、第２のガイドリング４６、４７の内周面の上端と、大径ガイドリング４５の軸心から第３のガイドリング４８の内周面の下端との距離（すなわち、最小距離）は、それぞれ０．５ｍｍ以上３ｍｍ以下に設定している。
第１〜第３のガイドリング４６〜４８の内径は、大径ガイドリング４５の軸心位置を通過する釣糸１３の外径に対して十分大きいので、釣糸１３に第１〜第３のガイドリング４６〜４８の内周面の一部を交互に当接させて案内するように構成できる。
大径ガイドリング４５を設けているので、釣糸１３の必要以上の波打ちを抑えて第１〜第３のガイドリング４６〜４８に案内でき、釣糸１３が釣糸補助ガイド装置４２に絡みつくことを防止できる。
次に、釣糸補助ガイド装置４２の着脱及び使用方法について説明する。
釣糸補助ガイド装置４２を取付けるときには、まず釣竿１２の最基側のリング状ガイド部材１１の外周に、釣竿１２から離れた側から３つの掛止爪４３のうち２つの掛止爪４３のＵ字状の溝部を当接させる。そして、２つの掛止爪４３の溝部をリング状ガイド部材１１の外周に沿って釣竿１２の軸心に向けて摺動移動させ、残りの１つの掛止爪４３をリング状ガイド部材１１の外周に掛合させる。このようにすることによって簡単に取付けることができる。
使用時には、図示しない巻取りリールから引き出した釣糸１３を、大径ガイドリング４５、第１、第３、第２のガイドリング４６、４８、４７、リング状ガイド部材１１の内側に順に通し、続いて釣竿１２に予め設けられた他のリング状ガイドに挿通する。そして、釣糸１３の先部に仕掛けと錘を取付けてから投擲する。
釣糸補助ガイド装置４２を取外すときには、釣糸１３を大径ガイドリング４５及び第１〜第３のガイドリング４６〜４８から抜き、掛止爪４３を釣竿１２の軸心から離れた側に移動させることによってリング状ガイド部材１１から簡単に取外すことができる。
以上のように簡単に着脱することができ、釣竿１２の操作性を良くすることができる。
次に、図１０を参照して、本発明の第４の実施例に係る釣糸補助ガイド装置４２の固定手段４３ａの変形例に係る固定手段５２、５６について説明する。固定手段５２、５６は、各掛止爪５３、５７に隣接する掛止溝５０、５８及び固着リング５１、５９をそれぞれ設けたものである。
図１０（Ａ）に示すように、変形例に係る固定手段５２の掛止爪５３の他側（支持棒５４側）には、半径方向内側に窪んだ掛止溝５０が形成され、金属製の固着リング５１は、釣竿１２のリング状ガイド部材１１に軸心を合わせ、各掛止溝５０に内周の一部を当接させて外嵌している。固着リング５１は、各掛止溝５０の他方側に設けられた突起部５５をそれぞれ乗り越えて、支持棒５４上を釣竿１２の長手方向に移動し、掛止爪５３の固定及び固定解除を行うことができる。
掛止爪５３の他方側に固着リング５１を外嵌しているので、掛止爪５３がリング状ガイド部材１１の半径方向外側に広がって外れることを防止し、確実に固定することができる。
また、固着リング５１を掛止溝５０から取り外すときには、支持棒５４側に移動できるので、固着リング５１を釣糸補助ガイド装置本体から外さないで保持することができ、保管時に固着リング５１を紛失することを防止できる。
図１０（Ｂ）に示すように、変形例に係る固定手段５６の掛止爪５７の先部（一方側）には、半径方向内側に窪んだ掛止溝５８がそれぞれ形成され、各掛止溝５８には、ゴム製の固着リング５９が外嵌している。固着リング５９は、掛止溝５８に嵌入していないときには環状で、使用時には、軸方向からみて三角形状になり、各掛止爪５７をリング状ガイド部材１１の軸心方向に付勢している。また、固着リング５９は、掛止溝５８の先側から嵌めることができるので、着脱を容易に行うことができる。
固着リング５９は、固定手段５２の固着リング５１に替えて使用することができ、また、固着リング５１を固定手段５６の掛止溝５８に取付けて使用することもできる。さらに、固着リング５１、５９の替わりに金属製や布製の紐を掛止溝５０、５８に巻き付けて固定し、これを固着リングとして使用することも可能である。
また、固着リングは、対となって互いに掛合する鉤状爪を、例えば棒状部材の両端部に形成しておき、これを掛合させることによってリング状に形成される構成にすることも可能である。このように構成することによって、着脱をより簡単に行い、固定を確実に行い使用時の脱落を防止することができる。
次に、図１１を参照して、本発明の第５の実施例に係る釣糸補助ガイド装置６４について説明する。釣糸補助ガイド装置６４は、第４の実施例に係る釣糸補助ガイド装置４２の支持部材及び固定手段の構成を変更したもので、その他の部分については、同じ構成であるので、同一の部材には同一の番号を付して、説明を省略する。
釣糸補助ガイド装置６４の支持部材６５は、他方側が拡径した筒体６６によって構成されている。筒体６６の一方側には、固定手段６７が設けられ、筒体６６の他方側端には、大径ガイドリング４５が一体的に設けられている。
固定手段６７は、最基側のリング状ガイド部材１１の内側を挿通可能な雄ねじ部６８と、雄ねじ部６８に螺合するナット６９によって構成されている。
雄ねじ部６８にナット６９を螺合させ締結することによって、釣糸補助ガイド装置６４をリング状ガイド部材１１に簡単且つ確実に固定することができる。
筒体６６の内側で、大径ガイドリング４５と雄ねじ部６８の間には、第１、第３、第２のガイドリング４６、４８、４７が３〜１０ｍｍの間隔をあけて設けられている。
かかる構成によって、釣糸補助ガイド装置６４の強度を増して破損を防止することができる。
次に、図１２を参照して、本発明の第６の実施例に係る釣糸補助ガイド装置７０について説明する。
釣糸補助ガイド装置７０は、本発明の第１の実施例に係る釣糸補助ガイド装置１０の支持部材１７の形状を変更した支持部材７１を有し、第３のガイドリング１６を固定する連結部材７２を設けたもので、その他の部材は、釣糸補助ガイド装置１０と同じなので、同一部材には同一番号を付して説明を省略する。
支持部材７１は、釣竿１２の軸方向に沿って両端部７３ａ、７４ａを固定した円弧状の金属板により構成されている。支持部材７１の両端部７３ａ、７４ａは、釣竿１２の外周に固定用糸で巻着、固定され、固定用糸は、樹脂によって環状にコーティングされて固着部７５ａを形成している。
第３のガイドリング１６、支持部材７１の中央の釣竿１２側に棒状の連結部材７２を介して取付けられている。
円弧状に形成された支持部材７１に外周部を固定して設けられた第１、第２のガイドリング１４、１５は、支持部材７１の長手方向両側に配置されており、挿通される釣糸１３の挿通方向に対して軸心が傾斜配置されている。
かかる構成によって、釣糸１３に加える挿通時の抵抗を、第１、第２のガイドリング１４、１５の直径だけでなく、傾斜角度によっても調整することができる。
また、連結部材７２を支持部材７１とは別に製造することができるので、同一の支持部材７１に長さの異なる連結部材を固定することによっても釣糸１３に加える抵抗を調整することができる。
次に、図１３を参照して、第７の実施例に係る釣糸補助ガイド装置７３について説明する。
釣糸補助ガイド装置７３は、中通し式の釣竿７５に取付けて使用するもので、釣竿７５の基側には、釣竿７５の内部に釣糸１３を挿通可能な開口部７４が形成されている。
釣糸補助ガイド装置７３の支持部材７６は頂部８３が中央より基側に形成された山形の金属製の板材からなって、支持部材７６の頂部８３よりさらに基側に設けられた第１のガイドリング７７は、支持部材７６に形成された第１の貫通孔８０に取付けて固定されている。
支持部材７６は、釣竿７５の軸方向に沿って、開口部７４をまたいでその両端部８１、８２を釣竿７５に固定している。
なお、両端部８１、８２の固定方法は、第１の実施例に係る釣糸補助ガイド装置１０の支持部材１７と同じであるので、説明は省略する。
支持部材７６の頂部８３より先側には、棒状の連結部材８５を介して中間ガイドの一例である第３のガイドリング７９が設けられ、さらに第３のガイドリング７９の先側には、連結部材８４を介して第２のガイドリング７８が設けられている。
隣り合う第１、第３、第２のガイドリング７７、７９、７８は、内側に直線状に挿通される釣糸１３の軸心を中心にして、交互に反対方向に偏心して配置されている。
ここで、第１〜第３のガイドリング７７〜７９の位置は、釣竿７５の内部に形成された空洞部８６を避けておくことが望ましい。釣竿７５が複数の筒状部材によって伸縮自在に構成される場合に、釣竿７５を収縮させる際には、１つの筒状部材の空洞部８６には、その先側にある他の筒状部材が挿通されるからである。
また、釣竿７５の第２のガイドリング７８より先側位置（例えば、図１３中のＡ部、又はＢ部）には、釣糸１３の挿通位置を規制するリング状や溝状のガイド部材を設けて、釣糸１３と釣竿７５の内壁部との摺動を最小限に抑えることができる。
このように構成することによって、第１〜第３のガイドリング７７〜７９内を通過する釣糸１３の捩れ及び／又は波打ちを抑制し、釣竿７５の内部で発生する釣糸１３の摺動による騒音や糸の摩耗を軽減することができる。
なお、第１、第２のガイドリング７７、７８は逆にして用いることも可能である。
以上、本発明に係る実施例について説明してきたが、本発明は、前記実施例に限定されるものではなく、例えば、支持部材の中央に配置された第３のガイドリングを、支持部材に締結手段を介して釣竿の半径方向に移動可能に固定することも可能である。
このように構成することによって、釣糸補助ガイド装置を使用しながら微調整して、釣糸をより捻れが少なく抵抗が少ない位置に設定することができる。
また、第４の実施例においては、掛止爪及び支持棒の数がそれぞれ３の場合について説明したが、４以上にすることも当然可能である。
「産業上の利用可能性」
第１の発明に係る釣糸補助ガイド装置は、第１、第２のガイドリングの中間位置に設けられて、釣糸を、第１、第２のガイドリングのそれぞれの一内周面側に偏心挿通させる中間ガイドを有しているので、仕掛けや錘の投入時には釣糸に一定の摩擦力が働き、釣糸は、釣竿のリング状ガイド部材内を接触を少なくした状態で直線的に移動でき、釣糸の旋回及び波打ち（振動）を抑制すると共に捻れを矯正し、釣糸の投擲時の全体的な摺動抵抗を減らして投擲距離を伸ばすことができる。
ここで、第２の発明に係る釣糸補助ガイド装置は、第１の発明に係る釣糸補助ガイド装置において、中間ガイドが第３のガイドリングからなるので、釣糸を第３のガイドリング内に挿通して用いることができ、使用中に外れることがなく、安定して使用することができる。
また、第３の発明に係る釣糸補助ガイド装置は、第１の発明に係る釣糸補助ガイド装置において、中間ガイドを、中間部分が小径となった溝付きローラとした場合は、釣糸の摺動抵抗を減らして投擲距離を増すことができる。また、溝付きであるので、釣糸が溝付きローラから外れて切断することを防止できる。
また、第４の発明に係る釣糸補助ガイド装置は、第１の発明に係る釣糸補助ガイド装置において、固定ガイドがＵ字溝を有しているので、構造を簡単にして軽量化を図ることができる。
また、第５の発明に係る釣糸補助ガイド装置は、前記第１〜第４の発明に係る釣糸補助ガイド装置において、釣竿固定部を２カ所に設けるので、支持部材を確実に固定して釣糸補助ガイド装置の変形や破損を防止することができる。
また、支持部材を板材で構成するので、製造を簡単に行うことができる。また、第１のガイドリングを支持部材に直接取付けることができるので、部品数を減らして軽量化を図ると共に、装置の構成を簡単にできる。
また、板状の支持部材で第１のガイドリングの周囲を覆って支持するので、釣糸が釣糸補助ガイド装置に絡みにくくなり、操作性をよくすることができる。
また、第１、第２のガイドリングを、支持部材に形成された第１、第２の貫通孔にそれぞれ取付けて固定するので、直接取付けて部品数を減らすことができ、また、板状の支持部材で第１、第２のガイドリングの周囲を覆って支持するので、釣糸が釣糸補助ガイド装置に絡みにくくなり、装置の安定性を高めて操作性をよくすることができる。
また、支持部材の中間部に補助支持板部を形成し、第３のガイドリングを補助支持板部に固定するので、第１〜第３のガイドリングを直接補助支持板部に取付けることができ、装置の製造を簡単に行うことができる。
また、第６の発明に係る釣糸補助ガイド装置は、第１〜第４の発明に係る釣糸補助ガイド装置において、支持部材の長手方向の一側に、釣竿の最基側のリング状ガイド部材に取付けられる固定手段を設けるので、リング状ガイド部材の固定を容易に行うことができ、また、釣竿本体から距離を離して設けることができ、釣糸を絡みにくくすることができる。
また、第７の発明に係る釣糸補助ガイド装置は、第６の発明に係る釣糸補助ガイド装置において、支持部材を、３以上の支持棒で構成するので、釣糸補助ガイド装置の重量を小さくして、釣竿に取付けて使用するときの操作性を良くすることができ、また、支持部材の内部の調整や洗浄を容易に行うことができる。
また、それぞれの固定手段に、掛止爪を設けるので、リング状ガイド部材の着脱を容易に行うことができる。
また、固定手段に設けられた掛止溝に固着リングを外嵌させるので、釣糸補助ガイド装置の着脱を簡単に行い、且つ確実に固定することができる。
また、第８の発明に係る釣糸補助ガイド装置は、第６の発明に係る釣糸補助ガイド装置において、前記支持部材を、他方側が拡径した筒体にするので、装置の強度を増して、使用時の破損を防止することができる。
また、固定手段を、雄ねじ部と、ナットによって構成するので、釣竿への装置の着脱を簡単且つ確実に行うことができる。
また、第９の発明に係る釣糸補助ガイド装置は、第６〜第８の発明に係る釣糸補助ガイド装置において、大径ガイドリングを設けるので、リールから螺旋状に旋回しながら引き出される釣糸が必要以上に波打つことを防止して、釣糸を絡みにくくすることができる。
また、第１０の発明に係る釣糸補助ガイド装置は、第１〜第３の発明に係る釣糸補助ガイド装置において、支持部材を板材で構成し、支持部材にローラ支持部を形成し、溝付きローラを、ローラ支持部に回転自在に取付けるので、支持部材を簡単に製造し、装置を軽量化することができる。
【図１】
0003691038.tif 000002
【図２】
0003691038.tif 000003
【図３】
0003691038.tif 000004
【図４】
0003691038.tif 000005
【図５】
0003691038.tif 000006
【図６】
0003691038.tif 000007
【図７】
0003691038.tif 000008
【図８】
0003691038.tif 000009
【図９】
0003691038.tif 000010
【図１０】
0003691038.tif 000011
【図１１】
0003691038.tif 000012
【図１２】
0003691038.tif 000013
【図１３】
0003691038.tif 000014